(57)【特許請求の範囲】
【請求項１】
下型（２ａ）と上型（２ｂ）の一方に直立させた複数の断面多角形のガイドポスト（１）（１）を他方の型に貫通させて、各貫通部に、ガイドブッシュ（２１）とローラ（２３）（２３）を具備するリテーナとからなる直動機構を介装し、前記ガイドブッシュ（２１）の内周の帯状平面部（２２）とガイドポスト（１）  の外周の帯状平面部（１１）とを前記ローラ（２３）（２３）によって転がり接触させたダイセット用直動機構において、ガイドポスト（１）  の先端をテーパ面部（１０１）  とすると共に、ガイドポスト（１）  の各帯状平面部（１１）の先端部の形状を、横幅が先端に向かって徐々に小さくなる山形形状に設定し、ガイドブッシュ（２１）のガイドポスト挿入側の開放端部の内周には内方に向かって縮小するテーパ面部（２２２）  を形成すると共に、帯状平面部（２２）（２２）相互の間に外側に凹む凹溝（２２１）  を形成し、前記帯状平面部（２２）の前記ガイドポスト挿入側の端部には、内方に突の山形切除部を形成したダイセット用直動装置。
【請求項２】
ガイドポスト（１）  のテーパ面部（１０１）  のガイドポスト軸線に対する傾斜角度を５度〜１５度に設定し、ガイドブッシュ（２１）のテーパ面部（２２２）  のガイドブッシュ軸線に対する傾斜角度を５度〜１５度に設定した請求項１に記載のダイセット用直動装置。
【発明の詳細な説明】
【０００１】
【産業上の利用分野】
本発明は、ダイセット用直動装置、特に、ガイドポストとこれによって支持される型保持板との直線摺動（直動）機構に関するものである。
【０００２】
【従来技術及び課題】
プレス金型では、型合せの精度が加工精度に大きく影響し、この型合せの精度を向上させるために、ダイセットが用いられる。このダイセットは、通常、図１のように、下型（２ａ）から直立させた一対のガイドポスト（１）（１）によって上型（２ｂ）を昇降自在に支持する。そして、前記下型（２ａ）にダイス（Ｄ）  を取付け他方の上型（２ｂ）にポンチ（Ｐ）  を取付ける。このとき、前記ダイス（Ｄ）  とポンチ（Ｐ）  とを正確に対向させておくと、下型（２ａ）と上型（２ｂ）とはガイドポスト（１）（１）を介して正確に直動する関係にあるから、プレス加工における段取り時間が短縮できる。前記ダイス（Ｄ）  及びポンチ（Ｐ）  を装着したダイセットをプレス機械にセットするだけでダイス（Ｄ）  とポンチ（Ｐ）  との相対位置の精度が確保されるからである。
【０００３】
ここで、前記（１）  と上型（２ｂ）とは直動機構によって対偶するが、この直動機構の精度が、ダイス（Ｄ）  とポンチ（Ｐ）  との直動精度に大きく影響する。又、この部分の移動の円滑さがプレス加工の加工速度に影響する。そこで、従来は、この直動機構部に転がり軸受けと同様の機構を採用しており、上型（２ｂ）に取付けられるガイドブッシュ（２１）とガイドポスト（１）  との間に多数の鋼球（２０）が介在せしめられている。
【０００４】
この鋼球（２０）を採用するものでは、ガイドポスト（１）  とガイドブッシュ（２１）との間に前記鋼球（２０）を加圧状態で介装した場合、当初は、ガイドポスト（１）  とガイドブッシュ（２１）との間の摺動間隙が生じないこととなって十分な直動精度が得られしかも直動抵抗が小さくなるものの、鋼球（２０）とガイドポスト（１）  及びガイドブッシュ（２１）との接触部の内、特に、ガイドポスト（１）  の表面との接触部に相対移動方向に沿った傷が付きやすい。鋼球（２０）が加圧状態でガイドポスト（１）  の表面に転がり接触した状態で相対移動するとき、この接触部の面積が極端に少いことから、直動を繰り返す間に鋼球（２０）の移動軌跡に沿ってガイドポスト（１）  の表面に溝状の痕跡が形成されるのである。この結果、ガイドポスト（１）  と転動体（２０）との間には前記痕跡に相当する摺動間隙が生じることとなり、直動機構部の直動精度が低下することとなる。
【０００５】
かかる不都合を解消するために、鋼球（２０）をローラとたものを特開平３−８１０３５号として提案した。
このものは、図２のように、下型（２ａ）に直立させた複数のガイドポスト（１）（１）の断面形状が多角形であること、ガイドブッシュ（２１）の内周面も前記断面形状と相似の多角形状であること、さらには、ローラ（２３）（２３）を具備するリテーナ（３）  が同様に多角形状であることから、ローラ（２３）がガイドポスト（１）  の外周の帯状平面部とガイドブッシュ（２１）の内周の平面部との間で接触する。従って、鋼球（２０）を転動体（２０）とした上記従来のものに比べて転動体（２０）とガイドポスト（１）  またはガイドブッシュ（２１）との転がり接触面積が広くなり、長期間に亙って使用しても、ガイドポスト（１）  の表面にローラの移動の痕跡が生じない。
【０００６】
ところが、この改良例のものでは、ローラ（２３）がガイドブッシュ（２１）とガイドポスト（１）  の間に圧入されたりこれから脱出するときに、衝撃が生じ、動作の円滑さに欠ける。場合によっては前記ローラに傷がついたり、変形したりする。
上型（２ｂ）の昇降に際して、ガイドブッシュ（２１）がガイドポスト（１）  の上端に対して上下に出入りする。このとき同時にリテーナも出入りする。従って、ローラ（２３）がガイドポスト（１）  とガイドブッシュ（２１）との間から脱出したり、これらの間に圧入したりする動作をくり返す。このことから、前記ローラ（２３）には圧入時の無理な外力がくり返し作用することとなって、上記した衝撃が生じたり、場合によっては、ローラには変形や損傷が生じることとなるのである。
【０００７】
また、ガイドブッシュ（２１）とリテーナをガイドポスト（１）  に組付ける際にも、ローラ（２３）の長さ方向全域を同時に圧入させる必要があるから、組付けの際に要する組付け作用力も大きくなって、この作業がやりにくかった。
本発明は、このような、『下型（２ａ）と上型（２ｂ）の一方に直立させた複数の断面多角形のガイドポスト（１）（１）を他方の型に貫通させて、各貫通部に、ガイドブッシュ（２１）とローラ（２３）（２３）を具備するリテーナとからなる直動機構を介装し、前記ガイドブッシュ（２１）の内周の帯状平面部（２２）とガイドポスト（１）  の外周の帯状平面部（１１）とを前記ローラ（２３）（２３）によって転がり接触させたダイセット用直動機構』において、ガイドブッシュ（２１）が昇降する際に、衝撃力やショックが生じたり、或は、ローラ（２３）に傷が付いたり変形したりしにくく十分な耐久性を有するようにし、加えて、ガイドブッシュ（２１）及びリテーナのガイドポスト（１）  への組付けを容易にすることをその課題とする。
【０００８】
【技術的手段】
上記課題を解決するために講じた本発明の技術的手段は『ガイドポスト（１）  の先端をテーパ面部（１０１）  とすると共に、ガイドポスト（１）  の各帯状平面部（１１）の先端部の形状を、横幅が先端に向かって徐々に小さくなる山形形状に設定し、ガイドブッシュ（２１）のガイドポスト挿入側の開放端部の内周には内方に向かって縮小するテーパ面部（２２２）  を形成すると共に、帯状平面部（２２）（２２）相互の間に外側に凹む凹溝（２２１）  を形成し、前記帯状平面部（２２）の前記ガイドポスト挿入側の端部には、内方に突の山形切除部を形成した』ことである。
【０００９】
【作用】
本発明の上記技術的手段は次のように作用する。
ガイドポスト（１）  の帯状平面部（１１）の先端はテーパ面部となっており、ガイドブッシュ（２１）の帯状平面部（２２）も同様に前記ガイドポスト挿入側の端部はテーパ面部となっており、リテーナに具備させたローラが前記ガイドポスト（１）  の先端から外れた後再度前記帯状平面部間に圧入される時、これらテーパ面部に案内される態様で圧入されるものとなる。
【００１０】
このとき、帯状平面部（１１）の先端は横幅が先端に向かって徐々に小さくなる山形形状となっており、他方の帯状平面部（２２）のガイドポスト挿入側の端部には、内方に突の山形切除部があるから、ローラ（２３）は、その中央部が外側に僅かに湾曲出来る態様で圧入される。（図１０参照）
そして、この状態から、ガイドブッシュ（２１）が降下するに従って徐々にローラ（２３）の全域が帯状平面部（１１）（２２）間に圧入されることとなる。従って、ローラ（２３）の圧入が無理なく円滑行われる。
【００１１】
このことは、ガイドブッシュ（２１）及びリテーナの組付けの際にも言えることである。
【００１２】
【効果】
本発明は上記構成であるから次の特有の効果を有する。
ガイドブッシュ（２１）の昇降にともなってローラ（２３）（２３）が帯状平面部（１１）（２２）に対して出没する際、ローラ（２３）の前記帯状平面部（１１）（２２）間への圧入が無理なく円滑行われるから、リテーナ及びガイドブッシュ（２１）の昇降動作の際に衝撃やショックが生じない。又、前記ローラ（２３）が損傷したり過度に変形したりすることが泣く、耐久性が向上する。
【００１３】
このことは、ガイドポスト（１）  への組付けの際にも言えることであり、上記３者の組立ても容易になる。
【００１４】
【実施例】
以下、本発明の実施例を図３から図９に基いて説明する。
図３〜図９に示す第１実施例のものは、ガイドポスト（１）  を座金（１０）と取付けボルト（１３）を用いて下型（２ａ）に直立状態に取付けるもので、この取付け構造は従来のものと同様である。（図２参照）
前記ガイドポスト（１）  の基端部には、図５に示すように、下型（２ａ）に圧入するための圧入軸部（１４）が形成されており、その上端につば部（１５）が形成されている。このつば部（１５）の上方部分が多角形軸部（１６）となり、この多角形軸部（１６）は、ガイドポスト（１）  の先端部から前記つば部（１５）の近傍までの範囲に設定されている。
【００１５】
前記多角形軸部（１６）の断面形状は、図３に示すように、８角形の頂部を円弧状部としたもので、この円弧の中心はガイドポスト（１）  の中心に一致させてある。したがって、この円弧状部相互間は帯状平面部（１１）となる。
ガイドポスト（１）  の上端はテーパ面部（１０１）  に形成されている。このテーパ面のガイドポスト軸線に対する傾斜角度は５度〜１５度に設定されている。これにより、図５のように、帯状平面部（１１）の上端は、上端中央がガイドポスト（１）  の先端に接近し両側が前記先端から後退した山形となる。そして、この山形先端部の両端が帯状平面部（１１）の両側の円弧状部に繋がる。
【００１６】
又、図３に示すように、ガイドポスト（１）  に外嵌するガイドブッシュ（２１）は、その外周断面が円形で、他方、内周断面が上記多角形軸部（１６）と相似な８角形となっており、８つの帯状平面部（２２）（２２）が軸線に平行に形成されたものとなっている。そして、これら帯状平面部（２２）（２２）の間は、外側に凹む凹溝（２２１）  となっている。
【００１７】
さらに、ガイドブッシュ（２１）の下端開放部はガイドポスト（１）  の場合と同様にテーパ面部（２２２）  となっており、このテーパ面部（２２２）  のガイドブッシュ軸線に対する傾斜角度も５度〜１５度に設定されている。そして、帯状平面部（２２）の下端は、図６に示すように、上方に突の山形切除部（２２０）  を具備する形態となる。この山形切除部（２２０）  が前記テーパ面となる。
【００１８】
上記組み合わせの場合、前記ガイドブッシュ（２１）をガイドポスト（１）  に同心状態に外嵌したとき、図４の如く、帯状平面部（２２）と帯状平面部（１１）との間には間隙（Ｇ）  が生じ、ガイドポスト（１）  の平面部の外周の各間隙それぞれは同じ値となる。
前記間隙（Ｇ）  内には多数の円柱状又は円筒状のローラ（２３）（２３）を具備させたリテーナ（３）  が挿入されている。そして、このリテーナ（３）  は、図７〜図９に示すような、８角形の筒体で、その肉厚は前記ローラの直径よりも僅かに小さくなっている。そして、このリテーナ（３）  は８つの平面部（３１）（３１）を具備するが、各平面部には、多数のローラ（２３）（２３）が水平方向に且相互に平行に並べられ、各ローラ（２３）は平面部（３１）に形成した矩形の開口（３２）内に位置する。この開口は、図９のように、平面部（３１）の内面側及び外面側から開口（３２）の内方に向って小さな舌片（３４）（３４）が突出する断面構造である。そして、ローラ（２３）（２３）はこれら舌片（３４）（３４）によって挟まれて平面部（３１）の肉厚内に保持され、この保持状態では、ローラ（２３）（２３）の断面頂部が長手方向全域に亙って平面部（３１）の表面から突出する。
【００１９】
上記間隙（Ｇ）  をローラ（２３）の直径よりも小さく設定してガイドポスト（１）  とガイドブッシュ（２１）の間にローラ（２３）（２３）を具備するリテーナ（３）  を挿入してこれらローラ（２３）（２３）をガイドポスト（１）  とガイドブッシュ（２１）との間に圧入すると、図４に示すように、ガイドブッシュ（２１）とガイドポスト（１）  とが軸線方向にすすみ対偶することとなる。
【００２０】
前記圧入の際、ローラ（２３）が帯状平面部（１１）の上端と帯状平面部（２１）の下端との間に位置するときには、図１０のように、ローラ（２３）の両端部の外面側はが山形切除部（２２０）  の両端の平面部に対接し内面側は中央部が帯状平面部（１１）の上端の中央頂部に対接する。そして、この状態ではローラ（２３）が外側に僅かに湾曲可能である。その後、ローラ（２３）が帯状平面部（１１）（２２）間に圧入されるに従って、これら平面部との接触範囲が広くなって、最終的にローラ（２３）の長手方向の全域が内外から帯状平面部（１１）（２２）に接触することとなる。従って、このローラ（２３）の圧入が円滑に行える。
【００２１】
上記作用により、下型（２ａ）に一定の間隔でガイドポスト（１）（１）を取付け、上記の態様で前記ガイドポスト（１）  にすすみ対偶させたガイドブッシュ（２１）を上型（２ｂ）の所定の位置に開口させた透孔に圧入固定すると、ダイセットが組立てられる。
尚、上記実施例のものでは、ガイドポスト（１）  の多角形軸部（１６）を８角形の断面としたが、図１１のように６角形断面の多角形軸部（１６）を具備する構成としてもよい。この場合、帯状平面部（１１）と円弧状部の幅をほぼ同じ値に設定しておけば、上端のテーパ面を上記実施例のように形成した場合、帯状平面部（１１）の上端の山形部の底辺長さに対するこれから頂部までの高さの比が大きくなる。同様にこれに対応させるガイドブッシュ（２１）の帯状平面部（２２）の下端の山形切除部（２２０）  の底辺に対する高さの比が大きくなる。従って、ローラ（２３）を帯状平面部（２２）との間に圧入する際の円滑さが上記断面８角形のものに比べて向上する。
【００２２】
また、ガイドポスト（１）  が上型に取付けられガイドブッシュ（２１）が下型に装着される仕様態様で実施することも出来る。
【図面の簡単な説明】
【図１】従来例の説明図
【図２】ローラを用いた先行技術の説明図
【図３】本発明の実施例の要部平面図
【図４】要部の断面図
【図５】ガイドポストの外観図
【図６】ガイドブッシュ（２１）の断面図
【図７】リテーナ（３）  の断面図
【図８】その平面図
【図９】ローラ保持部の拡大断面図
【図１０】ローラ（２３）が圧入されるときの断面図
【図１１】他の例のガイドポストの外観図
【符号の説明】
（２ａ）・・下型          （２０）・・転動体        （１）  ・・ガイドポスト
（１６）・・多角形軸部（２ｂ）・・上型        （２３）・・ローラ
（２１）・・ガイドブッシュ
【図１】
0003601856.tif 000002
【図２】
0003601856.tif 000003
【図３】
0003601856.tif 000004
【図４】
0003601856.tif 000005
【図５】
0003601856.tif 000006
【図６】
0003601856.tif 000007
【図７】
0003601856.tif 000008
【図８】
0003601856.tif 000009
【図９】
0003601856.tif 000010
【図１０】
0003601856.tif 000011
【図１１】
0003601856.tif 000012